(57)【要約】【課題】ユーザが任意に指定した見せたくない画像を表示しないようにする画像再生装置を提供する。【解決手段】操作部１１３の押下で表示させたくない画像の指定が確定すると、コマ番号記憶制御部１１２ａは、指定された画像のコマ番号をメモリ１２７に保存する。画像表示制御部１１２ｂは、指定された画像のコマ番号が、読み出されたコマ番号と一致するか否かを判断する（Ｓ１２）。一致する場合、表示制御部１１２ｂは、コマ送りで指定された画像をスキップし、その前後の画像を表示する（Ｓ１３）。【選択図】  図２
2006238194.tif 000002
【特許請求の範囲】
【請求項１】
画像を記憶する画像記憶部と、
前記画像を表示する表示部と、
前記画像の中から非表示画像の指定を受け付ける操作部と、
前記非表示画像に指定された画像を非表示にするよう前記表示部を制御する表示制御部と、
を備える画像再生装置。
【請求項２】
前記画像の画像識別情報を記憶する画像識別情報記憶部と、
前記非表示画像に指定された画像の画像識別情報を記憶するよう前記画像識別情報記憶部を制御する記憶制御部と、
をさらに備え、
前記表示制御部は前記画像識別情報記憶部に記憶された画像識別情報の付与された画像を非表示にするよう制御する請求項１に記載の画像再生装置。
【請求項３】
前記画像識別情報記憶部は前記画像識別情報を書き換え可能に保存する記憶媒体である請求項２に記載の画像再生装置。
【請求項４】
前記記憶制御部は前記画像記憶部が画像再生装置から着脱された場合に前記画像識別情報を消去するよう制御する請求項３に記載の画像再生装置。
【請求項５】
前記操作部は前記画像識別情報記憶部から消去すべき画像識別情報の指定を受け付け、
前記記憶制御部は前記操作部から指定された画像識別情報を消去するよう制御する請求項３に記載の画像再生装置。
【請求項６】
前記記憶制御部は前記画像記憶部に記憶された画像が消去された場合に前記消去された画像の画像識別情報を消去するよう制御する請求項３に記載の画像再生装置。
【請求項７】
前記画像識別情報は前記画像のコマ番号である請求項２〜６のいずれかに記載の画像再生装置。
【請求項８】
前記表示制御部は前記コマ番号に従って前記画像をコマ送り表示する場合、前記画像識別情報記憶部に記憶されたコマ番号の付与された画像の表示をスキップするよう制御する請求項７に記載の画像再生装置。
【請求項９】
前記表示制御部は前記画像識別情報記憶部に記憶されたコマ番号の付与された画像の代わりに所定の文字又は画像を表示するよう制御する請求項７に記載の画像再生装置。
【請求項１０】
画像を記憶するステップと、
前記画像の中から非表示画像の指定を受け付けるステップと、
前記非表示画像に指定された画像を非表示にするよう制御するステップと、
を含む画像再生方法。
【発明の詳細な説明】
【技術分野】
【０００１】
本発明は画像再生装置に係り、特に指定された画像を閲覧できないようにする画像再生装置に関する。
【背景技術】
【０００２】
従来、ユーザが消したくない画像を任意に指定すると、指定された画像を識別する情報を記憶し、指定された画像に消去プロテクトをかける技術が開発されている。例えば特許文献１によると、ＣＣＤにより撮像された画像データをフラッシュメモリに記憶しておき、キー入力部の操作により、ＬＣＤに表示すべき画像を選択するとともに、表示画像のページを前後に移動可能とし、さらに、ＬＣＤに表示されている画像を確認しながら、該画像に相当するフラッシュメモリに記憶されている画像データの消去プロテクトのオンオフの設定を可能にしている。
【特許文献１】特開平９−１８２０１２号公報
【発明の開示】
【発明が解決しようとする課題】
【０００３】
ところで、近年、カメラ付き携帯電話機やデジタルカメラの普及により、撮影した画像を友人同士などで見せ合うことが多くなっている。撮影した画像の中に、他人に見せたい画像と見せたくない画像が混在していると、カメラ付き携帯電話機等を気軽に人に手渡して画像を自由に閲覧させることが困難である。あるいは、見せたくない画像を消去して手渡すことも考えられるが、見せたくない画像が消してもよい画像とは限らない。この点、特許文献１の技術では、消去プロテクトは可能であるが、見せたくない画像を表示しないようにはできない。本発明はこのような問題点に鑑みてなされたもので、ユーザが任意に指定した見せたくない画像を表示しないようにする画像再生装置を提供することを目的とする。
【課題を解決するための手段】
【０００４】
上述の課題を解決するため、本発明に係る画像再生装置は、画像を記憶する画像記憶部と、画像を表示する表示部と、画像の中から非表示画像の指定を受け付ける操作部と、非表示画像に指定された画像を非表示にするよう表示部を制御する表示制御部と、を備える。
【０００５】
この発明によると、操作部から任意に指定された画像を非表示にするため、ユーザが任意に指定した見せたくない画像を表示しないようにでき、画像再生装置を気軽に人に手渡して画像を自由に閲覧させることができる。
【０００６】
本発明に係る画像再生装置は、画像の画像識別情報を記憶する画像識別情報記憶部と、非表示画像に指定された画像の画像識別情報を記憶するよう画像識別情報記憶部を制御する記憶制御部と、をさらに備え、表示制御部は画像識別情報記憶部に記憶された画像識別情報の付与された画像を非表示にするよう制御するようにしてもよい。
【０００７】
画像識別情報記憶部は画像識別情報を書き換え可能に保存する記録媒体とすることもできる。
【０００８】
記憶制御部は画像記憶部が画像再生装置から着脱された場合に画像識別情報を消去するよう制御するようにしてもよい。
【０００９】
こうすれば、コンパクトフラッシュやスマートメディアなどで構成された画像記憶部が交換されても、前に装着されていた画像記憶部の画像について保存された画像識別情報によって、新たに装着された別の画像記憶部の画像が表示されないという不都合を回避できる。
【００１０】
操作部は画像識別情報記憶部から消去すべき画像識別情報の指定を受け付け、記憶制御部は操作部から指定された画像識別情報を消去するよう制御するようにしてもよい。
【００１１】
記憶制御部は画像記憶部に記憶された画像が消去された場合に消去された画像の画像識別情報を消去するよう制御するようにしてもよい。
【００１２】
画像識別情報は画像のコマ番号であってもよい。
【００１３】
表示制御部はコマ番号に従って画像をコマ送り表示する場合、画像識別情報記憶部に記憶されたコマ番号の付与された画像の表示をスキップするよう制御するようにしてもよい。
【００１４】
こうすれば、どの画像が非表示に指定されているかを、画像を閲覧する者に意識させずに済む。
【００１５】
表示制御部は画像識別情報記憶部に記憶されたコマ番号の付与された画像の代わりに所定の文字又は画像を表示するよう制御してもよい。
【００１６】
こうすれば、コマ送りで表示させようとした画像が非表示に指定されていることが認識できる。
【００１７】
画像を記憶するステップと、画像の中から非表示画像の指定を受け付けるステップと、非表示画像に指定された画像を非表示にするよう制御するステップと、を含む画像再生方法も本発明に含まれる。
【発明の効果】
【００１８】
この発明によると、操作部から任意に指定された画像を非表示にするため、ユーザが任意に指定した見せたくない画像を表示しないようにでき、画像再生装置を気軽に人に手渡して画像を自由に閲覧させることができる。
【発明を実施するための最良の形態】
【００１９】
以下、添付した図面を参照し本発明の好ましい実施の形態を説明する。
【００２０】
＜第１実施形態＞
図１は本発明の好ましい第１の実施形態に係るデジタルカメラ１０の機能ブロック図である。まず、同図のデジタルカメラ１０において、中央処理装置（ＣＰＵ）１１２は、レリーズスイッチ２２、モードダイヤル１５０等を含む操作部１１３の各種のボタンやキーからの入力に基づいてデジタルカメラ１０内の各回路を統括制御する。ＣＰＵ１１２の実行するプログラムはフラッシュＲＯＭ１１９に記憶される。
【００２１】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面上の有効画素領域に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００２２】
撮像回路１０２ｂは、ゲイン調整回路を含み、得られた画像データは、それぞれ画像処理回路１０８及びハイパスフィルタ（ＨＰＦ）１２５へ送られる。画像処理回路１０８は、Ａ／Ｄ変換部１０８ａ、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００２３】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００２４】
一方、画像処理回路１０８のＡ／Ｄ変換部１０８ａでデジタル信号に変換された画像データは、ハイパスフィルタ（ＨＰＦ）１２５でＧ画素成分のみ抽出される。そして、積算処理部１２６で抽出されたＧ画素成分に積算処理が施されてＣＰＵ１１２に送られる。ＣＰＵ１１２は、積算処理部１２６から送られた１画面分の６４分割の画像データの内、十字キー８１で任意に設定された被写体中心付近の４エリアの平均値を算出し、これをオートフォーカス（ＡＦ）評価値とする。ＡＦ評価値は、所定周期の経過毎に算出され、算出の度にメモリ１２７に更新記憶される。ＣＰＵ１１２は、ＡＦ評価値に従って被写体の合焦を判定する。その判断方法は任意であるが、例えばＡＦ評価値が極大点の近傍に略到達しているか否かを判断し、極大点に略達している場合は合焦していると判断し、その他の場合は合焦していないと判断する。あるいは、ＡＦ評価値が所定の閾値を超えていれば合焦していると判断することもできる。
【００２５】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００２６】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００２７】
ここで、レリーズスイッチ２２が半押しされると、ＡＥ及びＡＦ処理が開始される。ＡＥ／ＡＦ処理が行われ、レリーズスイッチ２２が全押しされることによって記録用の撮影動作がスタートする。レリーズスイッチ２２全押しに応動して取得された画像データは画像処理回路１０８において輝度／色差信号（Ｙ／Ｃ信号）に変換され、ガンマ補正等の所定の処理が施された後、ＶＲＡＭ１３２に格納される。
【００２８】
ＶＲＡＭ１３２に格納されたＹ／Ｃ信号は、圧縮伸長処理回路１４４によって所定のフォーマットに従って圧縮された後、メディアコントローラ１４６を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報などを記録する。ＣＰＵ１１２は、Exifファイルのファイル名に、「DSCF0001.jpg」、「DSCF0002.jpg」などと、記録媒体４０内において重複しない一意的な識別情報（以下コマ番号という）を付与する。
【００２９】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ１２０によって発生されたタイミング信号に同期したタイミングで短時間（例えば１秒以下の短時間）発光するようにストロボ１８を制御する。
【００３０】
モードダイヤル１５０によって動画撮影モードが設定されたときには、レリーズスイッチ２２の全押し操作に連動して動画記録動作がスタートし、もう一度レリーズスイッチ２２を押下すると動画記録動作が停止する。レリーズスイッチ２２を押下継続している期間、録画動作を行い、押下解除によって録画を停止するようにしてもよい。動画データは、例えばモーションＪＰＥＧ（ＭＰＥＧ）形式によって記録媒体４０に記録される。
【００３１】
モードダイヤル１５０により再生モードが選択されると、記録媒体４０に記録されている最終の画像ファイル（最終のコマ番号が付与された画像ファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終の画像が表示される。
【００３２】
その後、十字キー８１の右キーが押されると、コマ番号順にコマ送りされ、十字キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている最初のコマ番号の付与された画像ファイルが読み出され、１コマ目のコマ画像が表示部１１０に再生される。
【００３３】
表示部１１０は、カメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッター速度や絞り値、撮影可能枚数、撮影日時、警告指示等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００３４】
記録媒体４０は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３５】
ＣＰＵ１１２は、カメラ１０の各回路を統括制御する制御回路であり、レリーズスイッチ２２、十字キー８１、電源スイッチ８２、モードダイヤル１５０、情報位置指定キー８３あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。
【００３６】
カメラ１０の電源が電源スイッチ８２でオンされる度に、カメラボディ内部に装着される電池からなる主要電源１６４から、デジタルカメラ１０の各回路に電源が供給される。
【００３７】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００３８】
図２はＣＰＵ１１２の実行するプログラムを示すブロック図である。
【００３９】
ＣＰＵ１１２は、プログラムであるコマ番号記憶制御部１１２ａ及び表示制御部１１２ｂを実行する。コマ番号記憶制御部１１２ａ及び表示制御部１１２ｂはフラッシュＲＯＭ１１９に記憶されており、ＣＰＵ１１２が適宜フラッシュＲＯＭ１１９から読み出して実行する。
【００４０】
コマ番号記憶制御部１１２ａは、記録媒体４０に記録された画像のうち、操作部１１３から指定された画像のコマ番号をメモリ１２７に保存するよう制御する。表示制御部１１２ｂは、再生モードが選択されている場合、メモリ１２７に保存されたコマ番号を読み出し、読み出したコマ番号の付与された画像以外の画像を表示部１１０にコマ送り表示するよう制御する。
【００４１】
次に、カメラ１０の動作を説明する。
【００４２】
図３は、プロテクト設定処理の流れを示すフローチャートである。この処理では、表示させたくない画像を操作部１１３から指定させ、指定された画像のコマ番号をメモリ１２７に保存する。
【００４３】
まず、操作部１１３の操作により、記録媒体４０に記録された画像のうち表示させたくない任意の画像を指定させる（Ｓ１）。画像指定の方式は特に限定されない。例えば、記録媒体４０に記録された画像のサムネイル画像を表示部１１０に一覧表示し、その中から所望のサムネイル画像を指定させることでその本画像を表示させたくない画像に指定させるようにしてもよい。あるいは、十字キー８１の押下に従って画像をコマ送り表示させ、所望の画像の表示された状態で情報位置指定キー８３を押下することによって表示させたくない画像を指定させるようにしてもよい。操作部１１３の押下で表示させたくない画像の指定が確定すると、コマ番号記憶制御部１１２ａは、指定された画像のコマ番号をメモリ１２７に保存する（Ｓ２）。
【００４４】
この処理では、見せたくない画像のコマ番号をメモリ１２７に保存するため、画像データ自体に何の変更も加えることなく、見せたくない画像をＣＰＵ１１２に特定させることができる。
【００４５】
図４は、画像再生処理の流れを示すフローチャートである。この処理では、メモリ１２７に保存されたコマ番号の付与された画像以外の画像を再生表示する。この処理は、モードダイヤル１５０により再生モードが選択されたときに開始する。
【００４６】
十字キー８１の押下に従ってコマ送りが指定されると（Ｓ１０）、表示制御部１１２ｂは、メモリ１２７に保存されているコマ番号を読み出す（Ｓ１１）。十字キー８１の押下に従って表示する画像が指定されると、画像表示制御部１１２ｂは、指定された画像のコマ番号が、読み出されたコマ番号と一致するか否かを判断する（Ｓ１２）。一致する場合、表示制御部１１２ｂは、コマ送りで指定された画像をスキップし、その前後の画像を表示する（Ｓ１３）。一致しない場合、表示制御部１１２ｂは、指定された画像を表示する（Ｓ１４）。なお、この処理は、モードダイヤル１５０により再生モード以外のモードが選択された場合に終了し、再生モードが選択されている限りＳ１０〜Ｓ１５が繰り返される。
【００４７】
この処理では、メモリ１２７に記憶されたコマ番号の付与された画像がスキップして表示されないため、ユーザが任意に指定した見せたくない画像を見せないようにし、かつ指定されない画像は見せることができる。即ち、カメラ１０のユーザ以外の第３者にもカメラ１０を気兼ねなく手渡し、どの画像が非表示に指定されているかを意識させることなく画像を閲覧させることができる。
【００４８】
＜第２実施形態＞
第１実施形態のプロテクト設定処理では、コマ番号をメモリ１２７に保存していたが（Ｓ２）、その代わりに、フラッシュＲＯＭ１１９にコマ番号を書き換え可能に保存してもよい。この場合、第１実施形態のプロテクト設定処理では、表示制御部１１２ｂは、フラッシュＲＯＭ１１９に保存されたコマ番号を読み出すようにしてもよい（Ｓ１１）。こうすれば、カメラ１０の電源が切断されても画像のコマ番号を保持でき、ユーザがせっかく見せたくない画像のコマ番号を設定しても、他の者が勝手にカメラ１０の電源をオン・オフして画像を見られるようにしてしまうのを防げる。
【００４９】
さらに、第１実施形態と異なり、一旦コマ番号が保存されると、電源が切断されても保存され続けるから、以下に示すように、書き換え可能に保存された画像のコマ番号を消去できる機能を設けることが好ましい。
【００５０】
図５はプロテクト解除処理の流れを示すフローチャートである。この処理では、指定されたコマ番号をフラッシュＲＯＭ１１９から消去する。
【００５１】
まず、操作部１１３の所定操作（「プロテクト解除」モードの選択など）でプロテクト解除処理が指示されると、コマ番号記憶制御部１１２ａは、フラッシュＲＯＭ１１９からコマ番号を読み出す（Ｓ２１）。十字キー８１の押下に従って読み出されたコマ番号から消去すべき所望のコマ番号が指定されると（Ｓ２２）、コマ番号記憶制御部１１２ａは、プロテクト解除を行おうとする者にプロテクト解除権限があるか否かを判断する（Ｓ２３）。プロテクト解除権限があるか否かの判断基準は特に限定されず、例えばフラッシュＲＯＭ１１９に記憶された所定のパスワードが操作部１１３から入力されたか否かにより判断できる。解除権限がある場合、指定されたコマ番号をフラッシュＲＯＭ１１９から消去する（Ｓ２４）。
【００５２】
以上の処理により、フラッシュＲＯＭ１１９に保存された、見せたくない画像のコマ番号を任意にフラッシュＲＯＭ１１９から消去することもでき、見せたくない画像に指定した画像も再び見せるようにできる。
【００５３】
なお、コマ番号を書き換え可能に保存する記録媒体はフラッシュＲＯＭ１１９に限らず、カメラ１０に内蔵された図示しないハードディスクユニットなど、電源が切断されても記憶内容を保持できる記録媒体であれば特に限定されない。
【００５４】
＜その他の実施形態＞
（１）画像再生処理のＳ１３において、表示制御部１１２ｂは、予めフラッシュＲＯＭ１１９やＨＤＤ等に記憶された所定のメッセージ（例えば画像が非表示設定されている旨のメッセージ）や、コマ指定された画像を所定の縮小率で間引いた縮小画像を表示するようにしてもよい。また、この場合、プロテクト解除処理のＳ２２では、コマ番号そのものを直接指定する代わりに、指定された画像の代わりに表示される所定のメッセージ又は縮小画像を指定することで、消去すべき画像のコマ番号を指定するようにしてもよい。
【００５５】
（２）記録媒体４０がカメラ１０に挿入されたことまたはカメラ１０から取り出されたことを検出する挿抜検出部（不図示）をカメラ１０に設け、コマ番号記憶制御部１１２ａは、記録媒体４０がカメラ１０から挿入された場合又は取り出された場合にメモリ１２７等に保存された全てのコマ番号を消去してもよい。こうすれば、記録媒体４０が交換されても、前に挿入されていた記録媒体４０の画像について保存されたコマ番号によって、新たに挿入された他の記録媒体の４０の画像が表示されないという不都合を防げる。
【００５６】
あるいは、記録媒体４０から特定の画像が消去された場合、この画像に付与されたコマ番号を保存していても無意味であるから、このコマ番号をメモリ１２７やフラッシュＲＯＭ１１９等から消去してもよい。同様の理由から、記録媒体４０のフォーマットが実行された場合、コマ番号記憶制御部１１２ａは、メモリ１２７やフラッシュＲＯＭ１１９等に保存されたコマ番号をすべて消去してもよい。
【００５７】
（３）各画像を識別する画像識別情報が画像データのヘッダやExifタグなどに記憶されていれば、コマ番号の代わりに画像識別情報をメモリ１２７等に保存し、コマ表示の指定された画像ファイルの画像識別情報がメモリ１２７等に保存された画像識別情報と一致するか否かに応じて画像を表示又は非表示にするようにしてもよい。
【図面の簡単な説明】
【００５８】
【図１】本発明の好ましい実施形態に係るデジタルカメラのブロック構成図
【図２】ＣＰＵの実行するプログラムのブロック図
【図３】プロテクト設定処理の流れを示すフローチャート
【図４】画像再生処理の流れを示すフローチャート
【図５】プロテクト解除処理の流れを示すフローチャート
【符号の説明】
【００５９】
４０：記録媒体、１１０：表示部、１１２：ＣＰＵ
【図１】
2006238194.tif 000003
【図２】
2006238194.tif 000004
【図３】
2006238194.tif 000005
【図４】
2006238194.tif 000006
【図５】
2006238194.tif 000007